(57)【要約】  【課題】  回路材が収容されているケース本体にコネクタをボルト締めするまで、ロアカバーにコネクタを仮保持する機構を改良する。  【解決手段】  回路材が収容されている電気接続箱のケース本体の下方に、内部にコネクタを仮置きしたロアカバーを配置し、該コネクタに固定されたナットに対して、ボルトを前記ケース本体の上方から貫通してボルト締めして前記コネクタをケース下面に固定している電気接続箱において、前記コネクタがボルト締めされる前は、コネクタに設けたスライド片の下端の係止爪の外面がロアカバーに設けた保持兼ガイド枠部の仮係止面に引っかかるように圧接されて仮保持され、前記コネクタがボルト締結時に前記係止爪の外面が前記保持兼ガイド枠部に摺接しながら上昇されて、ボルト締結完了位置で係止爪が保持兼ガイド枠部に押し当てられ圧接保持される構成としている。  【選択図】  図４
2006333654.tif 000002
【特許請求の範囲】
【請求項１】
回路材が収容されている電気接続箱のケース本体の下方に、内部にコネクタを仮置きしたロアカバーを配置し、該コネクタに固定されたナットに対して、ボルトを前記ケース本体の上方から貫通してボルト締めして前記コネクタをケース下面に固定している電気接続箱において、
前記コネクタの四角形状のハウジングの少なくとも対向する２辺の外面からそれぞれ下方へ突出するスライド片を設け、該スライド片の下端に外向きに係止爪を突設している一方、
前記コネクタのハウジングがケース本体の下面にボルト締結された時に前記ハウジングの外面と対応する位置のロアカバーの側壁から水平方向に突出した後に下向きに垂下する垂直部を備えた保持兼ガイド枠部を突設し、前記垂直部の上部を前記ハウジングの外面と接触させると共に該垂直部の下面をロアカバーの底面から所要寸法離して前記係止爪の仮係止面とし、
前記コネクタがロアカバー内部に仮置きされた状態で、前記スライド片の係止爪を前記仮係止面に係止され、
前記コネクタのボルトの締結時に前記スライド片は内方に撓んで前記係止爪は仮係止面から外れて保持兼ガイド枠部の内面を摺接して上昇され、ボルト締結完了位置では前記係止爪が前記保持ガイド枠部の内面に圧接されると共にコネクタのハウジングも該保持兼ガイド枠部に当接されていることを特徴とする電機接続箱。
【請求項２】
前記ロアカバーから突設する前記保持兼ガイド枠部は、前記スライド片と対向する部分のみ前記ロアカバーとの間に寸法をあけている一方、他の部分はロアカバーの底面と連結させ、かつ該連結部分にロアカバー側面と連結する補強部を設けている請求項１に記載の電気接続箱。
【発明の詳細な説明】
【技術分野】
【０００１】
本発明は、電気接続箱に関し、詳しくは、ケース本体の内部回路材と接続するコネクタをロアカバーの内部に仮置きしておき、ケース本体側からのボルト締めでケース本体の下面に固定するものである。
【背景技術】
【０００２】
従来、自動車に搭載する電気接続箱において、ケース内部に収容した回路材と電線端末に接続した多極コネクタとをインパクトレンチを用いたボルト締めで取り付け、コネクタの接続作業時の操作力の低減を図るものがある。
【０００３】
この種の電気接続箱として、特開平８−１４８２２４号公報（特許文献１）において、図５に示す電気接続箱１が提供されている。該電気接続箱１は、アッパーケース２、ロアケース３および多極のコネクタ４にそれぞれ設けた貫通穴２ａ、３ａ、４ａにボルトＢを通し、コネクタ４内に埋設したナットと締結してコネクタ４をロアケース３下面のコネクタ収容部３ｂ内に固定している。
【０００４】
しかしながら、特許文献１で提供されている電気接続箱１では、コネクタ４をケースにボルト締めするまで、コネクタ４をコネクタ収容部３ｂに仮係止できる構造になっていないため、コネクタ収容部３ｂに収容されたコネクタ４を作業員が手で保持しながらボルト締めしなければならず、また、コネクタ４が位置ズレしやすく、ボルト締め作業が煩雑となり作業効率が悪くなる問題がある。
【０００５】
【特許文献１】特開平８−１４８２２４号公報
【発明の開示】
【発明が解決しようとする課題】
【０００６】
本発明は前記問題に鑑みてなされたものであり、コネクタをロアケースあるいはロアカバー内に仮保持し、ボルト締結時にコネクタを作業物が手で保持しなくとも位置ずれ無くボルトとナットの締結を行えるようにして作業性を高め、かつ、該ボルトとナットとの締結で嵌合されるコネクタの端子収容室内にケース本体側の端子が精度よく挿入されるようにすることも課題としている。
【課題を解決するための手段】
【０００７】
前記問題を解決するため、本発明は、回路材が収容されている電気接続箱のケース本体の下方に、内部にコネクタを仮置きしたロアカバーを配置し、該コネクタに固定されたナットに対して、ボルトを前記ケース本体の上方から貫通してボルト締めして前記コネクタをケース下面に固定している電気接続箱において、
前記コネクタの四角形状のハウジングの少なくとも対向する２辺の外面からそれぞれ下方へ突出するスライド片を設け、該スライド片の下端に外向きに係止爪を突設している一方、
前記コネクタのハウジングがケース本体の下面にボルト締結された時に前記ハウジングの外面と対応する位置のロアカバーの側壁から水平方向に突出した後に下向きに垂下する垂直部を備えた保持兼ガイド枠部を突設し、前記垂直部の上部を前記ハウジングの外面と接触させると共に該垂直部の下面をロアカバーの底面から所要寸法離して前記係止爪の仮係止面とし、
前記コネクタがロアカバー内部に仮置きされた状態で、前記スライド片の係止爪を前記仮係止面に係止され、
前記コネクタのボルトの締結時に前記スライド片は内方に撓んで前記係止爪は仮係止面から外れて保持兼ガイド枠部の内面を摺接して上昇され、ボルト締結完了位置では前記係止爪が前記保持ガイド枠部の内面に圧接されると共にコネクタのハウジングも該保持兼ガイド枠部に当接されていることを特徴とする電機接続箱を提供している。
【０００８】
前記構成よれば、コネクタがボルト締めされるまでは、コネクタのハウジングの対向する２辺の外面から下方へ突出するスライド片に設けた係止爪が、スライト片の下面の仮係止面と当接して仮保持される。よって、コネクタがケース本体にボルト締めされるまでに、水平方向に位置ズレすることなくロアカバー内でコネクタを正規位置に仮保持しておくことができる。
コネクタをケース本体にボルト締めする際には、コネクタが正規の位置に位置決めされており、ボルトをコネクタに埋設したナットに確実に貫通させてボルト締め作業を容易にすることができる。
さらに、ロアカバー内に仮置きされたコネクタが、衝撃や振動により抜け方向に移動しても、保持兼ガイド枠部の仮係面に係止爪が引っかかるように押し当てられ、コネクタがロアカバーから脱落することを防止できる。
【０００９】
また、ボルト締結時には、前記スライド片は内方に撓んで係止爪は仮係止面から外れ、係止爪の外面が保持兼ガイド枠部の内面に摺接し、コネクタが傾くことなく真上に上昇するため、ボルトがコネクタのナットに対して斜めに挿入されることなく、コネクタの端子収容室にケース本体側の端子を精度良く挿入させることができ、端子に変形を発生させることも防止できる。
さらに、ボルト締結完了位置では、スライド片が撓んだ状態で係止爪が保持兼ガイド枠部に強く押し当てられて状態で保持される。その際、コネクタは中央部がボルトにより固定され、さらに外周位置で係止爪が保持兼ガイド枠部に圧接保持されていることで、振動や衝撃が負荷された際にも安定した状態でコネクタの位置決め保持ができる。
【００１０】
前記ロアカバーから突設する前記保持兼ガイド枠部は、前記スライド片と対向する部分のみ前記ロアカバーとの間に寸法をあけている一方、他の部分はロアカバーの底面と連結させ、かつ該連結部分にロアカバー側面と連結する補強部を設けることが好ましい。
【００１１】
前記構成によれば、前記保持兼ガイド枠部はスライド片と対向する部分以外はロアカバーの底面と連結させ、かつ連結部分にロアカバー側面と連結する補強部を設けているので、係止爪による前記保持兼ガイド枠部の圧接方向に対して、十分な強度を有する。よって、ボルト締結時に係止爪の外面が保持兼ガイド枠部の内面に摺接して上昇する際に、係止爪によって内方に圧接されても、保持兼ガイド枠部は内方に撓むことなくコネクタを保持できる。また、コネクタがボルト締めされるまで、係止爪により仮係止面に係止される際にも、保持兼ガイド枠部は変形することなく、コネクタを仮保持できる。
【発明の効果】
【００１２】
前述したように、本発明によれば、コネクタがボルト締めされるまでは、スライド片の係止爪が仮係止面に係止されてコネクタを仮保持していることにより、水平方向に位置ズレすることなくロアカバー内でコネクタを正規位置に仮保持しておくことができる。また、ロアカバー内に仮置きされたコネクタが、衝撃や振動により抜け方向に移動しても、保持兼ガイド枠部の仮係止面に係止爪が引っかかるように押し当てられるので、コネクタがロアカバーから脱落することを防止できる。
【００１３】
また、コネクタをケース本体にボルト締めする際には、コネクタが正規の位置に仮位置決めされており、ボルトをコネクタに埋設したナットに確実に貫通させてボルト締め作業を容易にすることができる。
さらに、前記スライド片は内方に撓んで前記係止爪は仮係止面から外れ、係止爪の外面が保持兼ガイド枠部の内面に摺接し、コネクタが傾くことなく真上に上昇するため、ボルトがコネクタのナットに対して斜めに挿入されることなく固定することができる。よってコネクタの端子収容室にケース本体側の端子を精度良く挿入させることができ、端子に変形を発生させず、コネクタの信頼性を高めることができる。
さらにまた、前記保持兼ガイド枠部はスライド片と対向する部分以外はロアカバーの底面と連結させ、かつ該連結部分にロアカバー側面と連結する補強部を設けているので、係止爪による保持兼ガイド枠部の圧接方向に対して十分な強度を有する。よって、ボルト締結時に係止爪の外面が保持兼ガイド枠部の内面に摺接して上昇する際に、係止によって内方に圧接されても、保持兼ガイド枠部は内方に撓むことなくコネクタを保持できる。また、コネクタがボルト締めされるまで、係止爪により仮係止面に係止される際にも、保持兼ガイド枠部は変形することなく、コネクタを仮保持できる。
【発明を実施するための最良の形態】
【００１４】
本発明の実施形態を図面を参照して説明する。
図１乃至図４は、本発明の実施形態を示す。
図１に示すように、電気接続箱１０は、内部回路を備えたケース本体１１、該ケース本体１１の下面にボルト２０で締結固定する３個の多極のコネクタ３０、該多極コネクタ３０を仮置きしておくロアカバー１８、ケース本体１１の上部より被せるアッパーカバー１７とから構成している。
【００１５】
ケース本体１１は、図２に示すように、アッパーケース１２とロアケース１３からなり、該ケース本体１１の内に導電性金属板を打抜加工して所要形状に形成したバスバー（回路材）１４と絶縁板１５とを交互に積層した積層体１６を収容している。
ロアケース１３には３カ所に下向きに突出した四角枠部１３ｂを突出して、コネクタ収容部１３ａを設けている。
該コネクタ収容部１３ａの上面側中央部にケース本体側へと突出させたボルト挿通筒１３ｃを突設し、アッパーケース１２に設けたボルト穴１２ａと連通させている。
連通させたボルト穴１２ａ、ボルト挿通筒１３ｃにボルト２０を上方から貫通させ、ボルト２０の下側をコネクタ収容部１３ａ内に突出させた状態している。
【００１６】
また、バスバー１４の先端を下方に屈曲させてタブ（図示せず）を設け、該タブをロアケース１３に設けた端子穴１３ｄを通して、コネクタ収容部１３ａ内に突出させている。バスバー１４には上方に屈曲させて形成したタブ（図示せず）をアッパーケース１２のヒューズ収容部１２ｂやリレー収容部１２ｃに収容したヒューズ、リレー（図示せず）の端子と接続する構成としている。
【００１７】
前記コネクタ３０は、多極の端子収容室を設けたコネクタのハウジング３１の下部にコネクタカバー３２をロック結合している。前記端子収容室にはコネクタ３０がケース本体にボルト締結された際に、ケース本体１１内のバスバー１４から立設したタブを挿入され、端子収容室内に挿入係止されている電線端末の端子と嵌合接続される。
ハウジング３１の略中央に上下に貫通するボルト挿入部３１ａを設け、該ボルト挿入部３１ａの下部にナット３３を埋設している。コネクタカバー３２の側壁には電線引出口３２ａを設け、該電線引出口３２ａを通してコネクタ３０に接続した電線（図示せず）を外部に引き出している。
【００１８】
図４に示すように、ハウジング３１は四角形状で、対向する２辺の外面からそれぞれ下方へ突出するスライド片３１ｃを設けている。コネクタカバー３２は該スライド片３１ｃと対向する部分は開口となっており、該スライド片３１ｃは撓み自在となっている。スライド片３１ｃの下端に外向きに係止爪３１ｄを突設している。該係止爪３１ｄは大略断面台形形状とし、上面３１ｄ−１及び３１ｄ−２を傾斜面とする一方、Ｖ形状に突出する外面先端を平面３１ｄ−３としている。
【００１９】
図４および図３に示すように、前記ハウジング３１がケース本体１１の下面にボルト締結された時に前記ハウジング３１の外面と対応する位置のロアカバー１８の側壁から水平方向に突出した後に下向きに垂下する垂直部１８ｃ−１を備えた保持兼ガイド枠部１８ｃを突設している。前記保持兼ガイド枠部１８ｃは前記ハウジング３１の外面と接触させると共に該垂直部１８ｃ−１の下面である仮係止面１８ｃ−２をロアカバー１８の底面１８ｂから所要寸法離している。
また、隣接する保持兼ガイド枠部１８ｃの下端部との間に底壁から位置決め枠１８ｆを設け、該位置決め枠１８ｆで複数のコネクタ３０を所定位置に配置できるようにしている。本実施形態では、ロアカバー１８内に３つのコネクタ３０を配置できるようにしている。
【００２０】
また、ロアカバー１８から突設する前記保持兼ガイド枠部１８ｃは、前記スライド片３１ｃと対向する部分のみ前記ロアカバー１８との間に寸法をあけている一方、他の部分はロアカバーの底面１８ｂと連結させ、該連結部分１８ｃ−４にロアカバー側面１８ａと連結する補強部１８ｃ−３を設けている。
【００２１】
次に、前記構造からなる電気接続箱の組みつけについて説明する。
ケース本体１１にボルト締結される前は、図４（Ａ）および図３に示すように、コネクタ３０はロアカバー１８内に仮置き状態で収容している。
其の際、各コネクタ３０は前記ハウジング３１の前記係止爪３１ｄが内方に撓んでロアカバー１８の保持兼ガイド枠部１８ｃを乗り越え、底壁１８ｂ側まで押し込まれる。
この状態で位置決め枠１８ｄにより部分的に囲まれると共に、係止爪３１ｄの上面が保持兼ガイド枠部１８ｃの仮係止面１８ｃ−２に係止され、コネクタ３０は仮保持される。
このように、コネクタ３０は正規位置に仮保持される。また、衝撃や振動が負荷されてコネクタ３０がロアカバー１８の上端開口側抜け方向に移動しても、係止爪３１ｄの上面が保持兼ガイド枠部１８ｃの垂直部１８ｃ−１の下面に引っかかるように当接してコネクタ３０の脱落が防止される。
【００２２】
この状態で、ロアカバー１８をケース本体１１のロアケース１３の下面側の正規位置に配置すると、ケース本体１１を貫通させたボルト２０と、ロアカバー１８内のコネクタ３０のボルト挿入部３１ａとが対向配置される。
【００２３】
次いで、インパクトレンチ（図示せず）を用いてボルト２０をボルト締めすると、ボルト２０がコネクタ本体３１内のナット３３に螺嵌し、コネクタ３０が真上に上昇される。
その時  スライド片３１ｃは内方に撓んで係止爪３１ｄは保持兼ガイド枠部１８ｃの垂直部下端面の仮係止面１８ｃ−２から外れ、係止爪３１ｄの外面が保持兼ガイド枠部１８ｃの内面に摺接し、コネクタが傾くことなく真上に上昇する。
【００２４】
コネクタ３０がケース本体１１のコネクタ収容部１３ａの正規位置まで挿入されたとき、コネクタ収容部１３ａ内に突出したバスバー１４のタブがコネクタ３０の端子穴を通して端子収容室に挿入され、電線端末の雌端子と接続される。その際、ボルト２０が仮位置決め保持されたコネクタ３０のナットに対して斜めに挿入されることがないため、コネクタ３０の端子収容室にケース本体１１側の端子を精度良く挿入させることができ、端子に変形を発生させず、コネクタの電気接続信頼性を高めることができる。
ボルト締結完了位置では、図４（Ｂ）に示すように、スライド片３１ｃが内側に撓んだ状態のまま、係止爪３１ｄは保持ガイド枠部３１ｃの内面に強く圧接される。また、コネクタ３０のハウジング外周面自体も、その下端側が保持ガイド枠部３１ｃに当接して位置決め保持される。
【００２５】
前記構成よれば、コネクタ３０がボルト締めされるまでは、コネクタのハウジング３１の対向する２辺の外面から下方へ突出するスライド片３１ｃに設けた係止爪３１ｄが仮係止面１８ｃ−２に仮係止保持される。よって、コネクタ３０がケース本体１１にボルト締めされるまでに、水平方向に位置ズレすることなくロアカバー１８内でコネクタ３０を正規位置に仮保持しておくことができる。
かつ、ボルト締め前は、ロアカバー１８内に仮置きされたコネクタ３０が、衝撃や振動により抜け方向に移動しても、保持兼ガイド枠部１８ｃの垂直部１８ｃ−１に係止爪３１ｄが引っかかるように押し当てられ、コネクタ３０がロアカバー１８から脱落することを防止できる。
【００２６】
コネクタ３０をケース本体１１にボルト締めする際には、コネクタ３０が正規の位置に位置決めされているため、ボルト２０をコネクタ３０に埋設したナットに確実に貫通させることができる。
また、ボルト締結時には、スライド片３１ｃは内方に撓んで前記係止爪３１ｄは仮係止面１８ｃ−２から外れ、係止爪３１ｄの外面が保持兼ガイド枠部１８ｃの内面に摺接し、コネクタ３０が傾くことなく真上に上昇するため、ボルト２０がコネクタ３０のナット３３に対して斜めに挿入されることなく、コネクタ３０の端子収容室にケース本体１側の端子を精度良く挿入させることができ、端子に変形を発生させることも防止できる。
【００２７】
さらに、ボルト締結完了位置では、係止爪３１ｄが保持兼ガイド枠部１８ｃに強く押し当てられ係止された状態で保持される。その際、コネクタ３０は中央部がボルト２０により固定され、さらに外周位置で係止爪３１ｄが保持兼ガイド枠部１８ｃに圧接されると共に、コネクタ３０自体がその下端外面が保持兼ガイド枠部１８ｃの垂直部上側に当接保持され、振動や衝撃が負荷された際にも安定した状態でコネクタ３０の位置決め保持ができる。
【図面の簡単な説明】
【００２８】
【図１】本発明の実施形態の電気接続箱の分解斜視図である。
【図２】組みつけ状態の電気接続箱の断面図である。
【図３】ロアカバーにコネクタを収容した状態を示す平面図である。
【図４】（Ａ）（Ｂ）はケース本体にコネクタをボルト締め固定する工程を示す図面、（ｃ）はスライド片の係止爪と保持兼ガイド枠部との係止状態を示す拡大図である。
【図５】従来例を示す図面である。
【符号の説明】
【００２９】
１０  電気接続箱
１１  ケース本体
１２  アッパーケース
１３  ロアケース
１３ａ  コネクタ収容部
１４  バスバー
１５  絶縁板
１８  ロアカバー
１８ｃ  保持兼ガイド枠部
１８ｃ−１  垂直部
１８ｃ−２  仮係止面
１８ｃ−３  補強部
１８ｃ−４  連結部分
２０  ボルト
３０  コネクタ
３１  ハウジング
３１ｃ  スライド片
３１ｄ  係止爪
３２  コネクタカバー
３３  ナット
【図１】
2006333654.tif 000003
【図２】
2006333654.tif 000004
【図３】
2006333654.tif 000005
【図４】
2006333654.tif 000006
【図５】
2006333654.tif 000007